(57)【特許請求の範囲】
【請求項１】
基板の一方の面側から他方の面側に貫通する貫通孔と、基板の一方の面に形成された配線端子とを有する基板の貫通孔に、金属線の一端を、前記基板の一方の面側より挿入して前記基板の他方の面側に突出させ、その金属線の先端部にボールを形成する工程と、
該金属線のうち前記基板の一方の面側の所定部分を基板の一方の面に形成された配線端子に接続する工程と、
余剰金属線を切断除去する工程と、をこの順序で有することを特徴とする基板の製造方法。
【請求項２】
少なくとも一方の面に配線端子を有する基板の一方の面から他方の面に貫通する貫通孔を形成する工程と、
キャピラリの先端に挿通された金属線の先端を、基板の一方の面側から貫通孔に挿入して前記他方の面側に突出させる工程と、
前記金属線の先端部にボールを形成する工程と、
前記キャピラリを上昇させる工程と、
前記キャピラリを基板の一方の面に配置される配線端子上に移動する工程と、
前記キャピラリを下降させ、該配線端子に金属線を押圧接合する工程と、
前記金属線の余剰金属線を切り離す工程と、をこの順序で有することを特徴とする基板の製造方法。
【請求項３】
少なくとも一方の面に複数の配線端子を有し、かつ基板の一方の面から他方の面に貫通する複数の貫通孔が形成された基板において、金属線の一端を前記基板の一方の面側より該貫通穴に挿入して前記基板の他方の面側に突出させ、その金属線の先端部にボールを形成する工程と、
該金属線のうち前記基板の一方の面側の所定部分を基板の一方の面に形成された配線端子に電気的に接続する工程と、
余剰金属線を切断除去する工程と、をこの順序で複数回繰り返すことを特徴とする基板の製造方法。
【請求項４】
少なくとも一方の面に複数の配線端子を有し、かつ基板の一方の面から他方の面に貫通する複数の貫通孔が形成された基板において、キャピラリの先端に挿通された金属線の先端を、基板の一方の面側から貫通孔に挿入して前記他方の面側に突出させる工程と、
前記金属線の先端部にボールを形成する工程と、
前記キャピラリを上昇させる工程と、
前記キャピラリを基板の一方の面に配置される配線端子上に移動する工程と、
前記キャピラリを下降させ、該配線端子に金属線を押圧接合する工程と、
前記金属線の余剰金属線を切り離す工程と、をこの順序で複数回繰り返すことを特徴とする基板の製造方法。
【請求項５】
該金属線の先端部を溶融して前記ボールを形成することを特徴とする請求項１乃至請求項４のいずれかに記載の基板の製造方法。
【請求項６】
請求項１乃至請求項５のいずれかに記載の基板の製造方法を用いて製造され、前記金属線の先端に球形のボールを有し、前記貫通孔からキャピラリ方向に引き伸ばされ、前記配線端子に弧を描いて前記金属線が接続されていることを特徴とする基板。
【請求項７】
基板を載置する基板載置台と、前記基板載置台の基板載置位置の一方の面側にキャピラリが配置され、さらに基板載置位置の他方の面側にトーチが配置され、
前記キャピラリは上下方向に揺動可能に支持されてなる突起製造装置であって、
前記キャピラリが保持する金属線を、前記基板の貫通孔に挿入し、前記基板から突出させた前記金属線の先端に前記トーチによりボールを形成し、
前記キャピラリを、上昇させ、前記基板上に設けられた配線端子上に移動し、
前記キャピラリを下降させ、前記配線端子に前記金属線を押圧接合することを特徴とする突起製造装置。
【発明の詳細な説明】
【０００１】
【発明の属する技術分野】
本発明は、基板、基板の製造方法及び突起製造装置に関する。
【０００２】
【従来の技術】
電子機器が小型化、軽量化、多機能化されるのに伴い、それに使用する電子部品も同様に、小型化、軽量化、多機能化されてきている。そのために、ＢＧＡ（Ｂａｌｌ  Ｇｒｉｄ  Ａｒｒｅｉ）パッケージや、フリップチップ接合を用いた半導体装置等の高密度実装技術が開発されている。
【０００３】
ＢＧＡパッケージは、プリント配線基板や、窒化アルミニウム等の高熱伝導性セラミックス更には、ポリイミド樹脂等の高耐熱樹脂等を用いた、配線基板やパッケージ基材の入出力部分に、半田ボールや、はんだメッキを施した銅ボール等で形成されたバンブを配置し、これを溶融してパッケージの入出力部を配線基板の端子に接続することを特徴とするものである。
【０００４】
上記のような技術の出現により、ＱＦＰ（Ｑｕａｄ  Ｆｌａｔ  Ｐａｃｋａｇｅ）を用いてプリント配線基板に接続するのに比較して、小型化が可能となっている。
【０００５】
【発明が解決しようとする課題】
ところが、プリント配線基板や、窒化アルミニウム等の高熱伝導性セラミックス更には、ポリイミド樹脂等の高耐熱樹脂等を用いた、配線基板やパッケージ基材の入出力部分に、半田ボールや半田メッキを施した銅ボール等の導電性ボールを配置する技術として、特開平９−２２３７１２号公報の「従来の技術」欄で述べられているごとく、搭載ヘッドで多数個の導電性ボールをピックアップし、次いでこの搭載ヘッドをワークの上方へ移動させ、そこで上下移動を行わせて、多数個の導電性ボールをワークの電極に一括して搭載する方法、が知られているが、この特開平９−２２３７１２号公報の、「発明が解決しようとする課題」欄で述べられたごとく、導電性ボールの供給部において搭載ヘッドに上下動さを行わせても、すべての吸着孔に導電性ボールを真空吸着してピックアップできるとは限らず、導電性ボールの欠落を生じやすい、という課題があった。
【０００６】
そこで本発明はこのような課題を解決するためになされたものであり、基板の入出力部の接続部に、導電性ボールの欠落を生じさせることなく容易に突起部を配置可能な基板の製造方法及びこの方法によって製造された基板を提供することを目的とする。
【０００７】
また、入出力部の接続部に、導電性ボールの欠落を生じさせることなく容易に突起部を形成することのできる突起製造装置を提供することを目的とする。
【０００８】
【課題を解決するための手段】
請求項１の基板の製造方法は、基板の一方の面側から他方の面側に貫通する貫通孔と、基板の一方の面に形成された配線端子とを有する基板の貫通孔に、金属線の一端を、前記基板の一方の面側より挿入して前記基板の他方の面側に突出させ、その金属線の先端部にボールを形成する工程と、該金属線のうち前記基板の一方の面側の所定部分を基板の一方の面に形成された配線端子に接続する工程と、余剰金属線を切断除去する工程と、をこの順序で有することを特徴とする。
【０００９】
請求項２の基板の製造方法は、少なくとも一方の面に配線端子を有する基板の一方の面から他方の面に貫通する貫通孔を形成する工程と、キャピラリの先端に挿通された金属線の先端を、基板の一方の面側から貫通孔に挿入して前記他方の面側に突出させる工程と、前記金属線の先端部にボールを形成する工程と、前記キャピラリを上昇させる工程と、前記キャピラリを基板の一方の面に配置される配線端子上に移動する工程と、前記キャピラリを下降させ、該配線端子に金属線を押圧接合する工程と、前記金属線の余剰金属線を切り離す工程と、をこの順序で有することを特徴とする。
【００１０】
請求項３の基板の製造方法は、少なくとも一方の面に複数の配線端子を有し、かつ基板の一方の面から他方の面に貫通する複数の貫通孔が形成された基板において、金属線の一端を前記基板の一方の面側より該貫通穴に挿入して前記基板の他方の面側に突出させ、その金属線の先端部にボールを形成する工程と、該金属線のうち前記基板の一方の面側の所定部分を基板の一方の面に形成された配線端子に電気的に接続する工程と、余剰金属線を切断除去する工程と、をこの順序で複数回繰り返すことを特徴とする。
【００１１】
請求項４の基板の製造方法は、少なくとも一方の面に複数の配線端子を有し、かつ基板の一方の面から他方の面に貫通する複数の貫通孔が形成された基板において、キャピラリの先端に挿通された金属線の先端を、基板の一方の面側から貫通孔に挿入して前記他方の面側に突出させる工程と、前記金属線の先端部にボールを形成する工程と、前記キャピラリを上昇させる工程と、前記キャピラリを基板の一方の面に配置される配線端子上に移動する工程と、前記キャピラリを下降させ、該配線端子に金属線を押圧接合する工程と、前記金属線の余剰金属線を切り離す工程と、をこの順序で複数回繰り返すことを特徴とする。
【００１２】
請求項５の基板の製造方法は、請求項１乃至請求項４のいずれかに記載の基板の製造方法において、金属線の先端部を溶融して前記ボールを形成することを特徴とする。
【００１３】
請求項１又は請求項２の基板の製造方法に用いられる少なくとも基板の一方に配線パターンを有する基板の基板材料としては、ガラスエポキシ基板、石英ガラス、ホウケイ酸ガラス、表面をシリカシートしたソーダライムガラス、等の無機ガラス類、有機プラスチックのフイルムまたはシート、アルミナ、炭化珪素等のセラミックス類、シリコン基板等が好ましく用いられる。
【００１４】
基板は、まず、ドリル等の切削手段、研削、プレスによるパンチング等の機械的手段、レーザ加工、あるいは、異方性エッチング法、プラズマエッチング等の穿孔手段を用いて基板の一方の面から、他方の面に貫通する貫通孔を穿孔する。貫通孔の直径は１５μｍから４５０μｍ、望ましくは３０μｍから１２０μｍであり、後に説明する工程で用いる金属線の直径より大きくさらに、形成するボール直径より小さい直径であり、用いる金属線の直径の２倍以内であることが好ましい。
【００１５】
次に、金属線の一端を上記基板の一方の面側から貫通穴に挿通して、基板の他方の面側に突出させる。
【００１６】
金属線は、金、銅等の金属や、金を含む合金、銅を含む合金、さらには鉛錫、銀錫などの合金からなる材料が用いられる。金属線の直径は、８μｍから４００μｍ、望ましくは１５μｍから１２５μｍが好ましい。
【００１７】
金属線は、キャピラリに挿通し、キャピラリに挿通された金属線の先端は、キャピラリ先端部より突出した状態で、金属線の一端を基板の一方の面より貫通孔内を通過し、他方の面に突出させる。
【００１８】
次に、他方の面に突出させた金属線の先端部を、電気トーチ、水素ガストーチ、水素ガスを含むガストーチなどのトーチにより溶融することで、金属線の先端にボールを形成する。
【００１９】
形成するボールの直径は、金属線直径の２倍から３．８倍であるが、２．３倍から３．２倍であることがが好ましい。形成するボールの直径を２．３倍から３．２倍の直径とすることで、安定したボール直径を得ることが可能となり、さらに変形の少ないボール形成が容易に行える。
【００２０】
ボール形成を行った後、次の工程として、金属線のうち基板の一方の面側の所定部分を基板の一方の面に形成された配線端子に電気的に接続する。
【００２１】
形成されたボールは、キャピラリを上昇させることで、基板方向に引き付けられるが、ボール直径が、基板を貫通する貫通穴の直径よりも大きく形成されるために、穴部周囲に接触した状態となる。さらに、キャピラリを上昇し、次にキャピラリを基板の一方の面に配置される配線端子上に移動する。次にキャピラリを配線端子方向に移動し近接させて、金属線と配線端子を接触させ、さらに、キャピラリを押圧して、金属線と、配線端子を電気的に接続する。この時キャピラリに超音波振動を付与することにより、金属線と配線端子との接続強度を増加させることができる。
【００２２】
また、キャピラリを加熱して、金属線に伝熱することで、金属線を加熱し接続を行うことにより、金属線と配線端子との接続部強度を増加することも可能である。さらに、超音波と金属線加熱とを併用しても同様な効果を得ることができる。さらに併せて、接続時に基板が加熱されていれば、さらに金属線と配線端子の接続強度を確保し、接続時間を短縮するために効果的である。
【００２３】
金属線と、配線端子の接続を行った後、次の工程として、キャピラリ側に残る余剰金属線を、接続部とキャピラリとの間で切断除去することで、基板の一方の面の配線端子と接続され、基板の他方の面に突出するボールを形成することができる。
【００２４】
さらにこの工程を、複数回繰り返すことによって、突起電極を形成した本発明の基板は作成される。
【００２５】
請求項３又は請求項４の基板の製造方法に用いられる少なくとも一方の面に複数の配線端子を有する基板の基板材料としては、ガラスエポキシ基板、石英ガラス、ホウケイ酸ガラス、表面をシリカシートしたソーダライムガラス、等の無機ガラス類、有機プラスチックのフイルムまたはシート、アルミナ、炭化珪素等のセラミックス類、シリコン基板等が好ましく用いられる。
【００２６】
基板は、ドリル等の切削手段、研削、プレスによるパンチング等の機械的手段、レーザ加工、あるいは、異方性エッチング法、プラズマエッチング等の穿孔手段を用いて少なくとも基板の入出力部の接続部に対応する位置に、基板の一方の面から、他方の面に貫通する貫通孔を穿孔される。貫通孔の直径は１５μｍから４５０μｍ、望ましくは３０μｍから１２０μｍであり、後に説明する工程で用いる金属線の直径より大きくさらに、形成するボール直径より小さい直径であり、用いる金属線の直径の２倍以内であることが好ましい。
【００２７】
上記のごとき基板を用いて、まず金属線の一端を基板の一方の面側から貫通穴に挿通して、基板の他方の面側に突出させる。
【００２８】
金属線は、金、銅等の金属や、金を含む合金、銅を含む合金、さらには鉛錫、銀錫などの合金からなる材料が用いられる。金属線の直径は、８μｍから４００μｍ、望ましくは１５μｍから１２５μｍが好ましい。
【００２９】
金属線は、キャピラリに挿通し、キャピラリに挿通された金属線の先端は、キャピラリ先端部より突出した状態で、金属線の一端を基板の一方の面より貫通孔内を通過し、他方の面に突出させる。
【００３０】
次に、他方の面に突出させた金属線の先端部を、電気トーチ、水素ガストーチ、水素ガスを含むガストーチなどのトーチにより溶融することで、金属線の先端にボールを形成する。
【００３１】
形成するボールの直径は、金属線直径の２倍から３．８倍であるが、２．３倍から３．２倍であることがが好ましい。形成するボールの直径を２．３倍から３．２倍の直径とすることで、安定したボール直径を得ることが可能となり、さらに変形の少ないボール形成が容易に行える。
【００３２】
ボール形成を行った後、次の工程として、金属線のうち基板の一方の面側の所定部分を基板の一方の面に形成された配線端子に電気的に接続する。
【００３３】
形成されたボールは、キャピラリを上昇させることで、基板方向に引き付けられるが、ボール直径が、基板を貫通する貫通穴の直径よりも大きく形成されるために、穴部周囲に接触した状態となる。さらに、キャピラリを上昇し、次にキャピラリを基板の一方の面に配置される配線端子上に移動する。次にキャピラリを配線端子方向に移動し近接させて、金属線と配線端子を接触させ、さらに、キャピラリを押圧して、金属線と、配線端子を電気的に接続する。この時キャピラリに超音波振動を付与することにより、金属線と配線端子との接続強度を増加させることができる。
【００３４】
また、キャピラリを加熱して、金属線に伝熱することで、金属線を加熱し接続を行うことにより、金属線と配線端子との接続部強度を増加することも可能である。さらに、超音波と金属線加熱とを併用しても同様な効果を得ることができる。さらに併せて、接続時に基板が加熱されていれば、さらに金属線と配線端子の接続強度を確保し、接続時間を短縮するために効果的である。
【００３５】
金属線と、配線端子の接続を行った後、次の工程として、キャピラリ側に残る余剰金属線を接続部と、キャピラリ間で切断除去することで、基板の一方の面の配線端子と接続された、基板の他方の面に突出するボールを形成することができる。
【００３６】
さらにこの工程を、複数回繰り返すことによって、突起電極を形成した本発明の基板は作成される。
【００３７】
請求項６の基板は、請求項１乃至請求項５のいずれかに記載の基板の製造方法を用いて製造され、前記金属線の先端に球形のボールを有し、前記貫通孔からキャピラリ方向に引き伸ばされ、前記配線端子に弧を描いて前記金属線が接続されていることを特徴とする
【００３８】
基板に複数個の貫通穴を配置し、貫通穴の全部もしくは選択的に請求項１乃至請求項５のいずれかに記載の基板製造方法の実施による、基板に突出したボールを有する基板が形成される。
【００３９】
上記基板の製造方法及びこの方法によって製造された基板は、導電性ボールの欠落を生じさせることなく容易に突起部を形成することのできるとともに、ボール吸着ボール配置等の設備に比較して、安価に設備化が可能であり、さらにボールの欠落検査を行わなくても良いという利点と、さらには信頼性の高い基板を提供することができる。
【００４０】
請求項７の突起製造装置は、基板を載置する基板載置台と、前記基板載置台の基板載置位置の一方の面側にキャピラリが配置され、さらに基板載置位置の他方の面側にトーチが配置され、
前記キャピラリは上下方向に揺動可能に支持されてなる突起製造装置であって、
前記キャピラリが保持する金属線を、前記基板の貫通孔に挿入し、前記基板から突出させた前記金属線の先端に前記トーチによりボールを形成し、
前記キャピラリを、上昇させ、前記基板上に設けられた配線端子上に移動し、
前記キャピラリを下降させ、前記配線端子に前記金属線を押圧接合することを特徴とする。
【００４１】
突起製造装置は、基板載置位置の一方の面側にキャピラリが配置され、さらに基板載置位置の他方の面側にトーチが配置されている。突起製造装置の構造は、基板載置位置の一方の面側に、移動機構に接続されたキャピラリと、金属線把握機構が配置される。さらに、基板載置位置の他方の面側には電気トーチ、水素ガストーチ、水素ガスを含むガストーチなどのトーチが配置されている。
【００４２】
キャピラリは、装置本体に対し、Ｘ方向移動テーブル及びＹ方向移動テーブルを介して設置される。さらに、キャピラリは、基板方向に移動可能な、移動機構に設置され、キャピラリ先端部が基板に近接、接触、離脱可能となる。さらにキャピラリの移動機構には加圧機構も備えられている。
【００４３】
相対するキャピラリ位置と、トーチの位置関係が保持できれば、上記突起製造装置のＸ軸方向、Ｙ軸方向の移動機構は、基板載置位置に付与しても同様の機能を果たすことが可能である。
【００４４】
上記突起製造装置の基板載置位置に基板を載置し、キャピラリに金属線を挿通する。金属線の直径は、８μｍから４００μｍ、望ましくは１５μｍから１２５μｍが好ましい。キャピラリに挿通された金属線の先端は、キャピラリ先端部より突出した状態で、キャピラリ移動機構の動作により、キャピラリ先端部が基板に近接し、金属線の一端を基板の一方の面より貫通孔内を通過し、他方の面に突出させる。
【００４５】
次に、他方の面に突出させた金属線の先端部を、前述したトーチにより溶融することで、金属線の先端にボールを形成する。
【００４６】
ボール形成を行った後、次の工程として、キャピラリを上昇させることで、ボールは、基板方向に引き付けられるが、ボール直径が、基板を貫通する貫通穴の直径よりも大きく形成されるために、穴部周囲に接触した状態となる。さらに、キャピラリを，Ｘ方向移動テーブル及びＹ方向移動テーブルを動作して、基板の一方の面に配置される配線端子上に移動する。さらにキャピラリを配線端子方向に移動し、金属線と配線端子を接触させ、さらに、キャピラリを押圧して、金属線と、配線端子を電気的に接続する。この時キャピラリに超音波振動を付与することにより、金属線と配線パターンとの接続強度を増加させることができる。
【００４７】
また、キャピラリを加熱して、金属線に伝熱することで、金属線を加熱し接続を行うことにより、金属線と配線端子との接続部強度を増加することも可能である。さらに、超音波と金属線加熱とを併用しても同様な効果を得ることができる。さらに併せて、接続時に基板が加熱されていれば、さらに金属線と配線端子の接続強度を確保し、接続時間を短縮するために効果的である。
【００４８】
次に、金属線と、配線端子を接続が終了した後、金属線をクランプ機構により保持し、キャピラリを基板から離脱することで、金属線は、配線パターンの接続部より、キャピラリ方向で引き離し、余剰金属線を切断除去することとなる。  上記の工程により、基板の一方の面の配線端子と接続された、基板の他方の面に突出するボールを形成することができる。さらに複数個のボール形成を行うためには、クランプ機構を金属線を保持した状態で、キャピラリ方向に移動しクランプ機構により保持した金属線をキャピラリ先端より突出させ、次のボール形成の準備をする工程も本発明に含まれる。
【００４９】
上記により入出力部の接続部に、容易に突起部を形成することのできる突起製造装置を提供することが可能となる。
【００５０】
【発明の実施の形態】
以下本発明の実施例について、図面を参照して説明する。
【００５１】
（実施例１）
図１は実施例１の基板の製造方法の第一の工程を示す断面図である。第一の工程は基板１の一方の面である第一面２から、基板１の他方の面である第二面３に貫通する貫通孔４を形成する工程である。第１面には、銅箔表面にニッケルメッキを施しさらに、ニッケルメッキ表面に金メッキを施した配線端子５が配置される。
【００５２】
図２は実施例１の基板の製造方法の第二の工程を示す断面図である。第二の工程は図２の（ａ）に示すごとく金属線６の一端を基板１の第一面２側より貫通孔４に挿入し、さらに図２の（ｂ）に示すごとく貫通孔４を通過させ、第２面３側に突出させる工程である。
【００５３】
図３は実施例１の基板の製造方法の第三の工程を示す断面図である。第三の工程は、図３の（ｃ）に示すごとく基板１の第二面３に突出させられた金属線６の先端部にボール７を形成し、さらに、図３の（ｄ）に示すごとくボール７を基板１の、第二面３に近接させるる工程である。
【００５４】
図４は実施例１の基板の製造方法の第四の工程を示す断面図である。第四の工程は、図４の（ｅ）および（ｆ）に示すごとく金属線６のうち基板１の第一面２側の所定部分を基板１の第一面２に形成された配線端子５に電気的に接続する工程である。
【００５５】
図５は実施例１の基板の製造方法の第五の工程を示す断面図である。第五の工程は、配線端子５に電気的に接続された金属線６の、余剰金属線を切断する工程である。
【００５６】
図１、図２、図３、図４及び図５を用いて以下に、さらに詳しく説明する。
【００５７】
実施例１の第一の工程において、基板１の基板材料には、ガラスエポキシ系配線基板を用い、レーザ加工法による穿孔手段を用いて貫通孔４を穿孔する。貫通孔４の直径は４５μｍとした。
【００５８】
次に第二の工程においては、金属線６の材質は、ワイヤーボンディングで用いられるボンディングワイヤの金線を用い、直径は３０μｍの直径の金線を用いた。金属線６は、図２（ａ）に示すごとく、キャピラリ９に挿通し、キャピラリ９先端部より金属線６の先端を突出させる。次に図２（ｂ）に示すごとく、基板１の第一面２から、第二面３に貫通する貫通孔４内を通過し、第二面３に突出させる。
【００５９】
さらに第三の工程においては、図３（ｃ）に示すごとく、基板１の第二の面３に突出した金属線６の先端部に、ボール７を形成する。ボール７の直径は８４μｍである。次に図３（ｄ）に示すごとく、キャピラリ９を基板１から離すことにより、ボール７は基板１の、第２面３に近接する。
【００６０】
さらに第四の工程においては、図４（ｅ）に示すごとくキャピラリ９を基板１の一方の面２に配置される配線端子５上に移動する。
【００６１】
次に図４（ｆ）に示すごとくキャピラリ９を配線端子５方向に移動し近接させて、金属線６と配線端子５を接触させ、さらに、キャピラリ９を押圧して、金属線６と配線端子５を電気的に接続する。さらに第五の工程において、次に図５に示すごとく、キャピラリ９側に残る余剰の金属線６を、接続部とキャピラリ９間で切断除去することで、基板１の第一面２の配線端子５と接続された基板１の第二面３に突出するボールを形成することができる。
【００６２】
さらにこれらの工程を、突起電極を形成すべき箇所の回数繰り返すことによって、突起電極を形成した本発明の基板は作成される。
【００６３】
（実施例２）
図６は実施例２の基板を示す概略図である。
【００６４】
実施例２において、基板１０１の基板材料には、ポリイミド樹脂基板を用い、レーザ加工法による穿孔手段を用いて、基板１０１の入出力部の接続部に対応する位置に、複数の貫通孔４を穿孔する。基板１０１の第１面２には、入出力部に対応する配線端子５が配置され、それぞれの配線端子５は、配線パターン１０２により図示しない外部接続電極へ接続されている。
【００６５】
貫通孔４の直径は３０μｍとした。次に第一の工程においては、金属線６の材質は、ワイヤーボンディングで用いられるボンディングワイヤの金線を用い、直径は２５μｍの直径の金線を用いた。金属線６は、キャピラリ９に挿通し、キャピラリ９先端部より金属線６の先端を突出させる。次に基板１０１の第一面２から、前記第二面３に貫通する貫通孔４内を通過し、第二面３に突出させる。
【００６６】
さらに第二の工程においては基板１０１の第二の面３に突出した金属線６の先端部に、ボール７を形成する。ボール７の直径は７８μｍである。次にキャピラリ９を基板１０１から離すことにより、ボール７は基板１０１の、第２面３に近接する。
【００６７】
さらに第三の工程においては、キャピラリ９を基板１０１の第一面２に配置される配線端子５上に移動する。
【００６８】
次に第四の工程においては、キャピラリ９を配線端子５方向に移動し近接させて、金属線６と配線端子５を接触させ、さらに、キャピラリ９を押圧して、金属線６と配線端子５を電気的に接続する。
【００６９】
次に第五の工程においては、キャピラリ９側に残る余剰の金属線を、接続部とキャピラリ間で切断除去することで、基板１０１の第一面２の配線端子５と接続された基板１０１の第二面に突出するボールを形成することができる。
【００７０】
さらにこの工程を、突起電極を形成すべき箇所の回数繰り返すことによって、突起電極を形成した本発明の基板は作成される。
【００７１】
（実施例３）
図７は、実施例３に係る突起製造装置の一部を示す配置図である。
【００７２】
基板載置台２０１と、キャピラリ９と、トーチ２０２を有する。基板載置台２０１の、基板載置位置２１０の上方にキャピラリ９を配置し、さらに基板載置台２０１の下方にトーチ２０２を配置した。キャピラリ９の上方には金属線６のクランプ機構２０３が配置される。
【００７３】
図８は、実施例３に係る突起製造装置の一部を示す概略図である。
【００７４】
突起製造装置装置２００は、ボンディングヘッド２０５が、装置本体２０６に対し、Ｘ方向移動テーブル２０７及びＹ方向移動テーブル２０８を介して設置され、このボンディングヘッド２０５にボンディングアーム２０９を介してキャピラリ９が固着される。さらにボンディングヘッド２０５にトーチ２０２が配置され、また、基板載置台２０１は、装置本体２０６に固定されている。基板載置台２０１に対するキャピラリ９とトーチ２０２の位置関係は、基板載置台２０１の、基板載置位置２１０の上方にキャピラリ９を配置し、さらに基板載置位置の下方にトーチ２０２を配置した。
【００７５】
図７及び図８を用いて本発明に係る突起製造装置の実施例について説明する。
【００７６】
Ｘ方向移動テーブル２０７は、図示しないＸ方向駆動機構によりボンディングヘッド２０５をＸ方向に移動できる。また、Ｙ方向移動テーブル２０８は、図示しないＹ方向駆動機構によりボンディングヘッド２０５をＹ方向に移動できる。
【００７７】
ボンディングアーム２０９はボンディングヘッド２０５に対し鉛直方向に揺動可能に支持され、図示しないボンディングアーム駆動機構により駆動する。トーチ２０２は、ボンディングヘッド２０５に対して水平方向に揺動可能に構成される。
【００７８】
キャピラリ９と、トーチ２０２は、装置本体２０６に固定されている基板載置台２０１の基板配置位置２１０を挟み対向して配置され、基板載置台２０１に対するキャピラリ９とトーチ２０２の位置関係は、基板載置台２０１の、基板載置位置２１０の上方にキャピラリ９を配置し、さらに基板載置位置２１０の下方にトーチ２０２を配置した。
【００７９】
金属線６は、金属線６を巻き付けたスプール２１１より供給され、図示しないワイヤ案内板に案内され、クランプ機構２０３間を通ってキャピラリ９へ導かれ、キャピラリ９に金属線６が挿通される。また、トーチ２０２の先端にはトーチ電極２１２が形成されている。
【００８０】
上記のごとき構成の突起製造装置２００の動作について、さらに詳しく説明する。
【００８１】
スプール２１１より供給された金属線６は図示しないワイヤ案内板に案内され、クランプ機構２０３間を通ってキャピラリ９へ導かれ、キャピラリ９に金属線６が挿通される。
【００８２】
キャピラリ９を、貫通穴に照準を合わせるように、Ｘ方向移動テーブル２０７及びＹ方向移動テーブル２０８を移動させて、位置決めする。
【００８３】
次に金属線６をクランプ機構２０３により把握し、ボンディングアーム２０９を下降することにより、キャピラリ２０２の先端に挿通された金属線６の先端を、基板１の第一面２から、第二面３に貫通する貫通孔４内を通過し、第二面３に突出させる。
【００８４】
つぎに金属線６の先端とトーチ２０３間に、放電による電気スパークを発生させ、金属線６の先端にボール７を形成する。
【００８５】
ボール形成を行った後、クランプ機構２０３による金属線６の把握を解除し、キャピラリ９を上昇させることで、ボール７は、基板方向に引き付けられる。ボール７の直径は基板を貫通する貫通穴４の直径よりも大きく形成されるために、ボール７が、貫通穴４の穴部周囲に接触した状態となる。
【００８６】
キャピラリ９を上昇させた後キャピラリ９を、配線端子５の接続位置に照準を合わせるように、Ｘ方向移動テーブル２０７及びＹ方向移動テーブル２０８を配線端子５上に移動する。
【００８７】
この後再びボンディングアーム２０９を下降することにで、キャピラリ９を下降させ、金属線６と配線端子５を接触させ、さらに、キャピラリ９により金属線６を配線端子５に押しつけ、金属線６を変形させながら金属線６と配線端子５を、電気的に接続する。接続時キャピラリ９に超音波振動を付与することにより、金属線６と配線端子５との接続強度を増加させることができる。
【００８８】
その後、キャピラリ９を配線端子５上の接続部より上昇させ、予め設定した把握位置で、金属線６をクランプ機構２０３により把握し、さらにキャピラリ９を上昇させる。金属線６はクランプ機構２０３により把握されているために、キャピラリ９から送り出されず、金属線６と配線端子５の接続部に引っ張り力がかかり、余剰となる金属線を接続部より切断し引き離すことができる。さらにボンディングアーム２０９を上昇し、停止点である定位置に戻すことで、一回の動作を終了し、基板の第１面２の配線端子５と接続された基板の第２面３に突出するボール７を形成することが可能となり、一つの突起電極が形成される。
【００８９】
この動作を、突起電極を形成すべき箇所の回数繰り返すことによって、突起電極を形成した、本発明の基板は作成される。
【００９０】
ボール７の直径は、金属線６の先端と、トーチ２０３間の電気スパーク時の電流値、放電時間量により変化させることが可能となるが、金属線６の太さの１．５倍から３．５倍の直径を確保できるように調整すべきである。
【００９１】
また、キャピラリを加熱して、金属線に伝熱することで、金属線を加熱し接続を行うことにより、金属線と配線端子との接続部強度を増加することも可能である。さらに、超音波と金属線加熱とを併用しても同様な効果を得ることができる。さらに併せて、接続時に基板が加熱されていれば、さらに金属線と配線端子の接続強度を確保し、接続時間を短縮するために効果的である。
【００９２】
さらに複数個のボール形成を行うためには、クランプ機構を金属線を保持した状態で、キャピラリ方向に移動しクランプ機構により保持した金属線をキャピラリ先端より突出させ、次のボール形成の準備をする工程も本発明に含まれる。
【００９３】
基板載置位置が、移動可能な移動機構上に配置され、Ｘ方向、Ｙ方向に移動可能であっても相対するキャピラリ位置と、トーチの位置関係が保持できれば、上記突起製造装置の移動機構は、同様の機能を果たすため、本発明に含まれる。さらに、キャピラリが、基板方向に移動可能な、移動機構に設置され、キャピラリ先端部が基板に近接、接触、離脱可能となり、さらにキャピラリの移動機構には加圧機構も備えられおり、キャピラリ移動機構にあわせて付与しても同様の機能を果たすことが可能である。
【００９４】
【発明の効果】
以上述べたように、本発明の基板の製造方法によれば、入出力部の接続部に、容易に突起部を配置可能な製造方法を提供することができる。さらに本発明の基板によれば、入出力部の接続部に、導電性ボールの欠落を生じさせることなく容易に突起部を配置可能な基板を提供することができる。また、本発明の突起製造装置によれば、入出力部の接続部に、導電性ボールの欠落を生じさせることなく容易に突起部を形成することの可能な突起製造装置を提供することができる。さらに、導電性ボールの欠落を抑えることの可能な基板の製造方法を提供することが可能となり、よって信頼性の高い基板を提供することができる。
【図面の簡単な説明】
【図１】  実施例１の基板の製造方法の第一の工程を示す断面図である。
【図２】  実施例１の基板の製造方法の第二の工程を示す断面図である。
【図３】  実施例１の基板の製造方法の第三の工程を示す断面図である。
【図４】  実施例１の基板の製造方法の第四の工程を示す断面図である。
【図５】  実施例１の基板の製造方法の第五の工程を示す断面図である。
【図６】  実施例２の基板を示す概略図である。
【図７】  実施例３に係る突起製造装置の一部を示す配置図である。
【図８】  実施例３に係る突起製造装置の一部を示す概略図である。
【符号の説明】
１  基板
２  第一面
３  第二面
４  貫通孔
５  配線端子
６  金属線
７  ボール
９  キャピラリ
１０１  実施例２に用いられる基板
１０２  配線パターン
２０１  基板載置台
２０２  トーチ
２０３  クランプ機構
２０５  ボンディングヘッド
２０６  装置本体
２０７  Ｙ方向移動テーブル
２０８  Ｘ方向移動テーブル
２０９  ボンディングアーム
２１０  基板載置位置
２１２  スプール
【図１】
0003728918.tif 000002
【図２】
0003728918.tif 000003
【図３】
0003728918.tif 000004
【図４】
0003728918.tif 000005
【図５】
0003728918.tif 000006
【図６】
0003728918.tif 000007
【図７】
0003728918.tif 000008
【図８】
0003728918.tif 000009